(57)【要約】      （修正有）【課題】広く利用されている弾性体チューブを使用し、メスチャックを付け、高圧ガスボンベでエアーを入れることにより素早く、誰もが災害から身を守る器具を提供する。【解決手段】弾性体チューブに空気入れ口を二又器具にし、一方は空気入れ器具で使用。もう一方をチャック式メス側弁付器具１にしたことを特徴とする。弾性体チューブの外側２と内側３に波よけスカートを設け、弾性体から体の脱落防止のため調整可能な股ベルト４と腰に横ベルト５を付ける。弾性体チューブの周囲にロープ６を巻き六ヶ所の反射板ベルト７で止めるのを特徴とする。高圧ガス器具台座をメスチャックＡにし高圧ガスボンベ側をオスＦ使用にするのを特徴とする。台座から出る導管の先はオスチャックＢである。導管にはエアー抜きＣを授ける。ボンベの固定には台座から輪リングと挟みＤを付け固定し、底にはバネで安定させる。半折レバーＥには、安全ピンがあるのを特徴とする。【選択図】図１
2007130434.tif 000002
【特許請求の範囲】
【請求項１】
弾性体チューブに空気入れ口を二又器具弁付にし、一方は空気入れ器具で使用。もう一方は、チャック式メス側弁付器具▲１▼にしたことを特徴とする。弾性体チューブの外側▲２▼と内側▲３▼に波よけスカートを付ける。弾性体から体の脱落防止のため調整可能な股ベルト▲４▼と腰に横ベルト▲５▼を付ける。弾性体チューブの周囲にロープ▲６▼を巻き六ヶ所の反射板ベルト▲７▼で止めるのを特徴とする。
【請求項２】
高圧ガス器具台座をメスチック▲Ａ▼にし、高圧ガスボンベ側をオス▲Ｆ▼使用にする。台座から出る導管の先は、オスチャック▲Ｂ▼である。導管には、エアー抜き▲Ｃ▼を授ける。ボンベの固定には、台座から輪リングと挟み▲Ｄ▼固定する。底にはバネで安定させる器具。半折レバー▲Ｅ▼には、安全ピンがある。
【請求項３】
弾性体チューブの空気入れ口器具弁付きを一つにしたもの。それは、空気入れ器具の方に、チャック式メス器具を上に、ネジ式に取り付けた二段式弁付器具▲イ▼である。
【請求項４】
弾性体チューブの空気入れ口器具を一つにしたチャック式メス弁付器具▲ロ▼にし、台座から出る導管の先をメスチャックにしたもの。
【請求項５】
台座から出る導管の先を雌ネジ式▲ハ▼側にしたもの。
【発明の詳細な説明】
【発明の詳細な説明】
【技術分野】
【０００１】この発明は、水災害に対して、素早く対応するために、弾性体チューブを利用し、ワンタッチで高圧ガス台座から出るエアーを導管を通じ弾性体チューブに注ぐものである。
【背景技術】
【０００２】従来、弾性体チューブを口で、又空気入れ器具、大型ボンベなどで注いでいたが市民に広まらなかった。
【発明が解決しようとする課題】
【０００３】  これは、次のような欠点があった。
１、口で、又空気入れ器具で注ぐので時間がかかった。
２、大型ボンベであるので重く、持ち運びが悪い。
３、弾性体チューブが半転した。
４、体に波をかぶった。
５、弾性体チューブから体が脱落した。
６、反射板が少なかった。
本、発明は以上の欠点を解決するために作成した。
【課題を解決する手段】
【０００４】１、弾性体チューブを使用した浮輪に、空気入れ口器具を二又にし、一方は空気入れ器具に使用、もう一方はチック式メス弁付器具▲１▼にする。
２、弾性体チューブの外側にスカート▲２▼を付け半転防止する。
３、弾性体チューブの内側にスカート▲３▼を付け波よけ防止する。
４、弾性体チューブからの脱落防止のため股ベルト▲４▼及び腰に横ベルト▲５▼を付ける。
５、弾性体チューブの周囲にロープ▲６▼を巻き引き上げやすくし、六ヶ所の反射板▲７▼で止める。
６、高圧ガス器具台座にメスチャック▲Ａ▼を設け、器具台座から出る導管の先は、オスチャック▲Ｂ▼にする。導管にはエアー抜き▲Ｃ▼がある。
７、ボンベの固定には、台座に輪リングと挟み▲Ｄ▼を付け固定。底にはバネで安定させる。
８、半折レバー▲Ｅ▼には、安全ピンがある。
本、発明は、以上のような構成によりなる。弾性体チューブ一発式浮輪である。
【発明を実施するための最良の形態】
【０００５】  以下、本発明の実施の形態について説明する。
１、弾性体チューブの浮輪に空気入れ口を二又にした器具を設ける。一方は、空気入れ器具に使用し、もう一方はチャック式メス弁付器具▲１▼にする。
２、弾性体チューブの外側にスカートを付け半転防止▲２▼を設ける。
３、弾性体チューブの内側にスカートを付け波よけ防止▲３▼を設ける。
４、弾性体チューブから体の脱落防止のため調整可能な股ベルト▲４▼と調整可能な腰の横ベルト▲５▼を設ける。
５、弾性体チューブの周りに、ロープ▲６▼を巻き引き上げやすくし、六ヶ所の反射板ベルト▲７▼で止める。
実施例、ゴムチューブ。シリコンゴム。チューブにカーボンを巻いたもの。チューブにグラス繊細を巻いたもの。
６、高圧ガス器具台座側にメスチャック▲Ａ▼
７、台座から出る導管の先をオスチャック▲Ｂ▼にし、導管には、エアー抜き▲Ｃ▼がある。
８、高圧ガスボンベの固定には、輪リングを挟み▲Ｄ▼を付け固定し底には、バネで安定させる。半折レバー▲Ｅ▼には、安全ピンがある。
９、高圧ガスボンベ側をオスチャック▲Ｆ▼使用にする。
高圧ガス台座側導管オスチャック▲Ｂ▼に、弾性体チューブの一方、メス側チャック▲１▼に接続する。高圧ガス台座側メスチャック▲Ａ▼に、カセット式高圧ガスボンベオスに接続する。台座の半折レバー▲Ｅ▼の安全ピンを抜き、レバーを立てて、レバーを押すことにより導管からエアーが弾性体へと注がれる形態である。後、導管内のエアーは、エアー抜き▲Ｃ▼で、弾性体を安全にはずすことが出来る。
【発明の効果】
【０００６】本、発明は、広く一般市民でも使用出来、水災害に対し素早く対応出来る。
【図面の簡単な説明】
【図１】本発明の斜視図である。
【図２】本発明の断面図である。
【図３】本発明の斜視図である。
【図４】本発明の断面図である。
【図５】本発明の断面図である。
【図６】本発明の断面図である。
【符号の説明】
▲１▼二又器具、チャック式メス弁付器具▲２▼スカート▲３▼スカート▲４▼調整可能股ベルト▲５▼調整可能横ベルト▲６▼ロープ▲７▼反射板
▲Ａ▼台座メスチャック▲Ｂ▼オスチャック▲Ｃ▼エアー抜き▲Ｄ▼輪リングと挟み▲Ｅ▼半折レバー▲Ｆ▼高圧ガスボンベ
▲イ▼二段式チャックメス弁付器具
▲ロ▼チャック式メス弁付器具
▲ハ▼導管の先を雌ネジ式
【図１】
2007130434.tif 000003
【図２】
2007130434.tif 000004
【図３】
2007130434.tif 000005
【図４】
2007130434.tif 000006
【図５】
2007130434.tif 000007
【図６】
2007130434.tif 000008
【手続補正書】
【提出日】平成18年5月24日(2006.5.24)
【手続補正１】
【補正対象書類名】特許請求の範囲
【補正対象項目名】全文
【補正方法】変更
【補正の内容】
【特許請求の範囲】
【請求項１】
浮輪の弾性体チューブに空気入れ口を二又器具にした。一方は空気入れ器具で使用。もう一方はチャック式オス側弁付器具▲１▼にしたことを特徴とする。
【請求項２】
浮輪の弾性体チューブの空気入れ口器具を一つにしたもので、それは空気入れ器具にチャック式オス弁付器具を上にネジ式に取りつけた両方可能な二段式弁付器具▲イ▼である。
【請求項３】
「請求項３においては、浮輪の弾性体チューブ請求項１記載の弾性体チューブにエアーを入れる器具で。」導管の先をオスチャック弁付器具と二段式弁付器具のみに使用できるメスチャック式器具▲Ｂ▼にしたもの。
【手続補正２】
【補正対象書類名】明細書
【補正対象項目名】全文
【補正方法】変更
【補正の内容】
【発明の詳細な説明】
【技術分野】
【０００１】この発明は、水災害に対して、誰もが素早く対応するために、弾性体チューブを利用し、ワンタッチで高圧ガス台座から出るエアーを導管を通じ弾性体チューブに注ぐ物品である。
【背景技術】
【０００２】従来、弾性体チューブを口で、又空気入れ器具、大型ボンベなどで注いでいたが市民に広まらなかった。
【発明の開示】
【発明が解決しようとする課題】
【０００３】これは、次のような欠点があった。
１、口で、又空気入れ器具で注ぐので時間がかかった。
２、大型ボンベであるので重く、持ち運びが悪い。
本、発明は以上の欠点を解決するため作成した。
【課題を解決するための手段】
【０００４】１、弾性体チューブを使用した浮輪に、空気入れ口器具を二又器具にし、一方は空気入れ器具に使用もう一方はチャック式オス弁付器具▲１▼にする。
２、高圧ガス器具台座にメスチャック▲Ａ▼を設け、器具台座から出る導管の先はメスチャック▲Ｂ▼にする。導管にはエアー抜き▲Ｃ▼がある。
本、発明は以上のような構成によりなる。弾性体チューブ一発式浮輪である。
【発明の効果】
【０００５】本、発明は広く一般市民でも使用出来、水災害に誰もが一早く対応出来る。
【発明を実施するための最良の形態】
【０００６】以下、本発明の実施の形態について説明する。
１、弾性体チューブの浮輪に空気入れ口を二又にした器具を設ける。一方は空気入れ器具に使用しもう一方はチャック式オス弁付器具▲１▼にする。
２、高圧ガス器具台座側にメスチャック▲Ａ▼である。
３、台座から出る導管の先をメスチャック▲Ｂ▼にし、導管には、エアー抜き▲Ｃ▼がある。
４、高圧ガスボンベの固定には、輪リングと挟み▲Ｄ▼を付け固定し底には、バネで安定させる。半折レバーには、安全ピンがある。
５、高圧ガスボンベ側をオスチャック▲Ｆ▼使用にする。高圧ガス台座側導管はメスチャック▲Ｂ▼に、弾性体チューブの一方チャック式オス弁付器具▲１▼に接続する。高圧ガス台座側メスチャック▲Ａ▼にカセット式高圧ガスボンベオスを接続する。台座の半折レバー▲Ｅ▼の安全ピンを抜きレバーを立てて、レバーを押すことにより導管からエアーが弾性体チューブへと注がれる形態である。後、導管のエアー抜き▲Ｃ▼で弾性体チューブを安全にはずすことが出来る。
【実施例】０００７  タイヤチューブとシリコンゴムである。
【図面の簡単な説明】
【０００８】
【図１】本、発明の斜視図である。
【図２】本、発明の断面図である。
【図３】本、発明の部分図である。
【図４】本、発明の部分図である。
【図５】本、発明の斜視図である。
【図６】本、発明の部分図である。
【符号の説明】
【０００９】▲１▼二又器具、チャック式オス弁付器具▲Ｂ▼メスチャック式器具▲イ▼二段式弁付器具
【手続補正３】
【補正対象書類名】図面
【補正対象項目名】全図
【補正方法】変更
【補正の内容】
【図１】
2007130434.tif 000009
【図２】
2007130434.tif 000010
【図３】
2007130434.tif 000011
【図４】
2007130434.tif 000012
【図５】
2007130434.tif 000013
【図６】
2007130434.tif 000014